(57)【特許請求の範囲】
【請求項１】
被検査物（２）にＸ線を曝射し、このＸ線の曝射に伴って前記被検査物を透過してくるＸ線の透過量をＸ線検出器（９）で検出して、前記被検査物中の異物の有無を検査するＸ線異物検出装置（１）において、
前記Ｘ線曝射時の内部状態を示す前記被検査物の透過画像（Ａ）を表示する表示器（６）と、
前記Ｘ線検出器から（９）から入力される前記Ｘ線の透過量に応じた電気信号に基づいて前記異物の有無を検査するとともに、該電気信号を出力する制御手段（１３）と、
前記制御手段から出力される前記電気信号を受け前記被検査物の画像を得て、前記被検査物を搬送する搬送部（３）の搬送速度に応じて前記被検査物の搬送方向に対して前記被検査物の該画像の伸縮率を可変して生成した画像データを前記透過画像（Ａ）として前記表示器の表示エリア（６ａ）内に表示する表示制御手段（１５）とを備えており、
前記表示制御手段（１５）は、前記搬送部の搬送速度が速いときは前記被検査物の搬送方向に対して前記被検査物の前記画像を間引いて圧縮した前記画像データを前記透過画像（Ａ）として前記表示エリア内に表示し、前記搬送部の搬送速度が遅いときには前記被検査物の搬送方向に対して前記被検査物の画像を重ねて伸長した前記画像データを前記透過画像（Ａ）として前記表示エリア内に表示することを特徴とするＸ線異物検出装置。
【請求項２】
前記表示器（６）の表示エリア（６ａ）内には、前記被検査物（２）の前記透過画像（Ａ）とともに前記透過画像の伸縮率が同時に表示されることを特徴とする請求項１記載のＸ線異物検出装置。
【請求項３】
前記被検査物（２）の前記透過画像を前記表示器（６）の表示エリア（６ａ）内に固定表示するモードと、前記被検査物の前記透過画像（Ａ）を前記表示器の表示エリア内に前記被検査物の動きに合わせてスクロール表示するモードとを選択的に切り替える手段を備えたことを特徴とする請求項１記載のＸ線異物検出装置。
【発明の詳細な説明】
【０００１】
【発明の属する技術分野】
本発明は、例えば生肉、魚、加工食品、医薬などの各品種の被検査物に対し、Ｘ線を曝射したときのＸ線の透過量から被検査物中の異物を検出するＸ線異物検出装置に関する。
【０００２】
【従来の技術】
Ｘ線異物検出装置は、搬送ライン上を順次搬送されてくる例えば生肉、魚、加工食品、医薬などの各品種の被検査物にＸ線を曝射し、この曝射したＸ線の透過量から被検査物中に金属、ガラス、石、骨などの異物が混入しているか否かを検出する装置である。
【０００３】
この種のＸ線異物検出装置では、Ｘ線曝射時の被検査物の内部状態を示す画像表示や良否判定表示などが装置本体の前面に設けられた表示器の表示画面上に表示されるようになっている。
【０００４】
【発明が解決しようとする課題】
ところで、この種のＸ線異物検出装置では、高速かつ効率的に被検査物の異物混入の有無を検査するため、例えば製品の搬送されてくる数が多い場合や長い製品の場合には、ベルトコンベアのベルトスピードを高速に切り換えて処理を行うことにより対処している。
【０００５】
このため、表示器の表示画面上に表示されるＸ線曝射時の被検査物の画像表示を被検査物の動きに合わせてスクロール表示した場合、例えばベルトコンベアのベルトスピードが１０ｍ／分のときに被検査物の画像が１秒間表示されるとすると、ベルトコンベアのベルトスピードを２倍の２０ｍ／分に切り換えた場合には、被検査物の画像表示が０．５秒間に短縮されることになる。
【０００６】
そして、特に、順次搬送されてくる被検査物を一つ一つ表示器の表示画面を目視して被検査物の良否を判断する場合には、ベルトコンベアのベルトスピードを高速に切り換えると、被検査物の画像がそれまでよりも速く表示画面上を通り過ぎるため、全体的に画像が見ずらくなり、被検査物に異物が混入している場合、その異物の混入箇所を確認しずらくなるという問題があった。
【０００７】
そこで、本発明は、上記問題点に鑑みてなされたものであり、被検査物を搬送させる搬送部の搬送速度が高速な場合でもＸ線曝射時の内部状態を示す被検査物の画像を見やすくして異物混入の有無を容易に確認することができるＸ線異物検出装置を提供することを目的としている。
【０００８】
【課題を解決するための手段】
上記目的を達成するため、請求項１の発明に係るＸ線異物検出装置は、被検査物２にＸ線を曝射し、このＸ線の曝射に伴って前記被検査物を透過してくるＸ線の透過量をＸ線検出器９で検出して、前記被検査物中の異物の有無を検査するＸ線異物検出装置１において、
前記Ｘ線曝射時の内部状態を示す前記被検査物の透過画像Ａを表示する表示器６と、
前記Ｘ線検出器９からから入力される前記Ｘ線の透過量に応じた電気信号に基づいて前記異物の有無を検査するとともに、該電気信号を出力する制御手段１３と、
前記制御手段から出力される前記電気信号を受け前記被検査物の画像を得て、前記被検査物を搬送する搬送部３の搬送速度に応じて前記被検査物の搬送方向に対して前記被検査物の該画像の伸縮率を可変して生成した画像データを前記透過画像Ａとして前記表示器の表示エリア６ａ内に表示する表示制御手段１５とを備えており、
前記表示制御手段１５は、前記搬送部の搬送速度が速いときは前記被検査物の搬送方向に対して前記被検査物の前記画像を間引いて圧縮した前記画像データを前記透過画像Ａとして前記表示エリア内に表示し、前記搬送部の搬送速度が遅いときには前記被検査物の搬送方向に対して前記被検査物の画像を重ねて伸長した前記画像データを前記透過画像Ａとして前記表示エリア内に表示することを特徴とする。
【０００９】
請求項２の発明は、請求項１のＸ線異物検出装置において、
前記表示器６の表示エリア６ａ内には、前記被検査物２の前記透過画像Ａとともに前記透過画像の伸縮率が同時に表示されることを特徴とする。
【００１０】
請求項３の発明は、請求項１のＸ線異物検出装置において、
前記被検査物２の前記透過画像を前記表示器６の表示エリア６ａ内に固定表示するモードと、前記被検査物の前記透過画像Ａを前記表示器の表示エリア内に前記被検査物の動きに合わせてスクロール表示するモードとを選択的に切り替える手段を備えたことを特徴とする。
【００１１】
本発明のＸ線異物検出装置１では、被検査物２を搬送する搬送部３（ベルトコンベア）の搬送速度に応じて表示器６の表示エリア６ａ内に表示されるＸ線曝射時の内部状態を示す被検査物２の画像Ａの搬送方向に対する伸縮率を可変しており、搬送速度が速い場合には被検査物２の搬送方向に対して被検査物２の画像Ａが縮まった状態で表示される。これに対し、搬送速度が遅い場合には被検査物２の搬送方向に対して被検査物２の画像Ａが間延びした状態で表示される。
【００１２】
これにより、搬送速度が速い場合には、従来に比べて、被検査物２の画像Ａを表示器６の表示エリア６ａ内に長く止めることができ、画像を見やすくして被検査物２中の異物の有無が確認しやすくなる。これに対し、搬送速度が遅い場合には、被検査物２の画像が被検査物２の搬送方向に対して間延びし、拡大されたイメージで表示されるので、さらに画像が見やすくなり、しかも画像が表示エリア６ａ内に止まっている時間も長くなり、より確実に被検査物２中の異物混入の有無を確認することができる。
【００１３】
【発明の実施の形態】
図１は本発明によるＸ線異物検出装置の全体構成を示すブロック図、図２は同Ｘ線異物検出装置の外観を示す斜視図である。
【００１４】
図１および図２に示すように、Ｘ線異物検出装置１は、搬送ラインの一部に設けられ、所定間隔をおいて順次搬送されてくる被検査物２中（表面も含む）に混入される異物の有無を検出するものである。このＸ線異物検出装置１は、搬送部３と異物検出部４とが装置本体１ａ内部に設けられ、設定入力部５と表示器６からなる操作パネル７が装置本体１ａの前面上部に設けられている。
【００１５】
図２に示すように、搬送部３は、例えば生肉、魚、加工食品、医薬などの各品種の被検査物２を搬送するもので、例えば装置本体１ａに対して水平に配置されたベルトコンベアで構成される。搬送部３は、駆動モータ６の駆動により予め設定された所定の搬送速度で図１の矢印方向に搬入口３ａから搬入された被検査物２を搬出口３ｂへ搬出している。
【００１６】
図１および図２に示すように、異物検出部４は、搬送される被検査物２を搬送路途中において異物を検出するもので、ベルトコンベア３の上方に所定高さ離れて設けられるＸ線発生器８と、ベルトコンベア３内にＸ線発生器８と対向して設けられるＸ線検出器９を備えて構成される。
【００１７】
設定入力部５は、不図示のメニューキーの操作によって表示器６に設定画面を表示させた状態で、不図示のキー入力によってベルトコンベア３のベルトスピード（搬送速度）が所定速度（例えば５〜６０ｍ／分）に設定できるようになっている。また、設定入力部５は、被検査物２の異物検査に関する各種設定や指示を与えるための複数のキーを備えている。特に図示はしないが、例えば装置運転の開始を指示するときに操作されるスタートキー、装置運転の停止を指示するときに操作されるストップキー、表示器６に表示される画像を固定表示するモードと、表示器６に表示される画像を被検査物２の動きに合わせてスクロール表示するモードのいずれかに選択的に画面を切り替えるときに操作される画面切替キーなどを備えている。
【００１８】
Ｘ線発生器８は、金属製の箱体１１内部に設けられる円筒状のＸ線管１２を不図示の絶縁油により浸漬した構成であり、Ｘ線管１２の陰極からの電子ビームを陽極ターゲットに照射させてＸ線を生成している。Ｘ線管１２は、その長手方向が被検査物２の搬送方向（図１の矢印方向）と直交するように設けられている。Ｘ線管１２により生成されたＸ線は、下方のＸ線検出器９に向けて、長手方向に沿った不図示のスリットを介して、略円錐状のＸ線を略三角形状のスクリーン状にして曝射するようになっている。
【００１９】
Ｘ線検出器９は、被検査物２に対してＸ線が曝射されたときに、被検査物２を透過してくるＸ線を検出し、この検出したＸ線の透過量に応じた電気信号を出力している。
【００２０】
図示はしないが、Ｘ線検出器９には、例えばベルトコンベア３上を搬送される被検査物２の搬送方向（図１の矢印方向）と直交する方向にライン状に配列された複数のフォトダイオードと、フォトダイオード上に設けられたシンチレータとを備えたアレイ状のラインセンサが用いられる。このような構成によるＸ線検出器９では、被検査物２に対してＸ線発生器８からＸ線が曝射されたときに、被検査物２を透過してくるＸ線をシンチレータで受けて光に変換する。さらにシンチレータで変換された光は、その下部に配置されるフォトダイオードによって受光される。そして、各フォトダイオードは、受光した光を電気信号に変換して出力する。このＸ線検出器９による電気信号は、図１に示す制御手段１３に入力される。
【００２１】
制御手段１３には、ユーザーによって操作される設定入力部５からの信号が入力しており、設定入力部５によりベルトコンベア３の搬送速度が変更されたときに、表示器６に表示される画像の被検査物２の搬送方向に対する伸縮率を可変する伸縮率可変指令を表示制御手段１５に出力している。また、制御手段１３には、設定入力部５の所定のキー入力により、装置運転の開始・停止を制御したり、表示器６に表示されるＸ線曝射時の被検査物２の全体画像Ａを固定表示する固定表示モードと、前記画像Ａを被検査物２の動きに合わせてスクロール表示するスクロール表示モードのいずれかに選択的に画面を切り替える画面切替指令を表示制御手段１５に出力している。
【００２２】
さらに、制御手段１３には、被検査物２の通過を検出するための位置検出手段１４からの信号が入力される。位置検出手段１４は、例えばベルトコンベア３の搬入口３ａ側に設けられる一対の投受光器からなるフォトセンサで構成される。この構成により、被検査物２がフォトセンサの前を通過していない状態では、投光器から出射された光がそのまま受光器に受光される。これに対し、被検査物２がフォトセンサの前を通過している間は、投光器から出射された光が被検査物２によって遮られ、受光器が検出する受光量が減少する。そして、フォトセンサからは受光器が検出する受光量に応じた電気信号が制御手段１３に入力される。例えば被検査物２がフォトセンサの前を通過していない状態では位置検出手段１４からオフ信号が制御手段１３に入力され、被検査物２がフォトセンサの前を通過している間では位置検出手段１４からオン信号が制御手段１３に入力される。
【００２３】
そして、制御手段１３は、位置検出手段１４が被検査物２の先端を検出してから後端を検出するまでにＸ線検出器９から入力される電気信号を被検査物２のデータとして表示制御手段１５に出力している。また、制御手段１３では、被検査物２を透過したＸ線の透過量に応じた電気信号に基づいて被検査物２中に金属、ガラス、石、骨などの異物が混入されているか否かの判別を行い、さらにこの判別結果から被検査物２の良否を判断し、被検査物２が良品又は不良品であるかを示す選別信号等を外部出力している。このときの被検査物２の検査結果は表示制御手段１５にも入力される。
【００２４】
表示制御手段１５には、制御手段１３から被検査物２の検査データ、検査結果データ、伸縮率データなどが入力される。表示制御手段１５では、表示器６の表示エリアに対し、Ｘ線曝射時の被検査物２の画像Ａを表示画面上に表示するべく、制御手段１３からの各種データに基づいて表示器６の表示を制御している。また、表示制御手段１５は、制御手段１３から伸縮率可変指令が入力されたときに、その伸縮率の表示を含め、被検査物２の搬送方向に対する画像データを所定伸縮率で伸縮して表示器６に展開表示している。さらに、表示制御手段１５は、制御手段１３から画面切替指令が入力されたときに、現在の表示が固定表示モードであればスクロール表示モードに切り替え、現在の表示がスクロール表示モードであれば固定表示モードに切り替えて表示器６の表示を制御している。
【００２５】
上記のように構成されるＸ線異物検出装置１では、被検査物２がベルトコンベア３の搬入口３ａより搬入されると、その搬送過程において被検査物２にＸ線発生器８からＸ線が曝射される。このＸ線の曝射に伴って被検査物２を透過してくるＸ線はＸ線検出器９によって検出される。そして、制御手段１３は、Ｘ線検出器９によって検出されたＸ線の透過量に応じた電気信号に基づいて被検査物２中に異物が混入している否かを判別し、この判別結果から良品又は不良品を示す選別信号などを外部出力する。そして、上記検査を終えた被検査物２は、制御手段１３から出力される選別信号に応じて良品と不良品とに選別される。
【００２６】
ここで、上記被検査物２の検査にあたって、Ｘ線曝射時の内部状態を示す被検査物２の画像Ａは、後述する表示処理を経て表示器６の表示画面上に所定の伸縮率で表示される。
【００２７】
図３は上記Ｘ線異物検出装置１の表示制御手段１５の内部構成を示すブロック図である。
【００２８】
図３において、表示制御手段１５は、表示制御部１５ａ、表示アドレス生成部１５ｂ、画像処理部１５ｃ、情報表示データ記憶部（ＶＲＡＭ１）１５ｄ、画像データ記憶部（ＶＲＡＭ２）１５ｅ、情報表示データバッファ１５ｆ、画像データバッファ１５ｇを備えて構成される。
【００２９】
表示制御部１５ａは、Ｘ線検出器９の検出によって得られる被検査物２の画像を表示器６に表示する際の画像の伸縮率を表す伸縮率データを作成している。
【００３０】
表示アドレス生成部１５ｂは、情報表示データ記憶部１５ｄの読み出しアドレスと画像データ記憶部１５ｅの読み出しアドレスを生成している。また、表示アドレス生成部１５ｂは、生成したアドレスに対応して情報表示データバッファ１５ｆと画像データバッファ１５ｇを切り替えている。
【００３１】
画像処理部１５ｃは、制御手段１３からの被検査物２の画像データをベルトコンベア３のベルトスピード（被検査物２の搬送速度）に応じた伸縮率で伸縮して画像処理を行っている。
【００３２】
情報表示データ記憶部１５ｄは、表示アドレス生成部１５ｂで生成されたアドレスに表示制御部１５ａからの表示情報（表示器６に表示される被検査物２の画像Ａの伸縮率を示す画像伸縮率データ）を記憶している。画像データ記憶部１５ｅは、表示アドレス生成部１５ｂで生成されたアドレスに画像処理部１５ｃで処理された画像データを記憶している。
【００３３】
情報表示データバッファ１５ｆと画像データバッファ１５ｇは、表示アドレス生成部１５ｂによって生成されたアドレスに対応して切り替えが行われ、この切り替えによりいずれかのデータが表示器６に出力され、被検査物２の画像Ａおよび画像Ａの伸縮率を示す表示Ｂが表示器６の表示画面上の同一表示エリア６ａの所定箇所に表示される。
【００３４】
次に、図４は上記Ｘ線異物検出装置においてベルトコンベア３のベルトスピードを可変したときの表示器６の表示処理の概略を示すフローチャート、図５（ａ）〜（ｃ）はベルトコンベア３のベルトスピードに応じた表示器６の表示状態を模式的に示す図である。
【００３５】
以下、ベルトコンベア３のベルトスピード（被検査物２の搬送速度）に応じた表示器６の表示処理の動作について説明する。
【００３６】
まず、ベルトコンベア３のベルトスピードを決定する（ＳＴ１）。ここでは、設定入力部５からの設定入力により、ベルトスピードが標準、２倍（高速）、１／２（低速）の３段階に切り換えられるものとしている。
【００３７】
ベルトコンベア３のベルトスピードが標準の場合には（ＳＴ２：標準）、画像データ記憶部１５ｅのデータサイズをそのままにしてデータを表示器６に送るように処理される（ＳＴ３）。その後、運転が開始され（ＳＴ４）、被検査物２の異物検査が実行される。更に説明すると、画像処理部１５ｃは、制御手段１３からの被検査物２の画像データをそのままのデータサイズで処理する。この画像データは、画像記憶部１５ｅに対して表示アドレス生成部１５ｂで生成されたアドレスに記憶される。また、表示制御部１５ａは、上記被検査物２の画像データのデータサイズを示す伸縮率データを作成し、この作成された伸縮率データが情報表示データ記憶部１５ｄに対して表示アドレス生成部１５ｂで生成されたアドレスに記憶される。そして、上記画像データと伸縮率データを表示器６の表示エリア６ａに展開表示する。これにより、図５（ｂ）に示すように、表示器６の表示エリア６ａ内の中央に被検査物の画像Ａが表示される。また同時に、被検査物２の画像Ａの伸縮率を表す伸縮率データとして、例えば「１：１」の数値表示が表示エリア６ａの右下部分になされる。
【００３８】
ベルトコンベア３のベルトスピードを標準の２倍にした場合には（ＳＴ２：２倍）、画像データ記憶部１５ｅのデータサイズ（ライン数）を１／２にして１ライン毎にデータが間引かれた状態で表示器６にデータを送るように処理される（ＳＴ５）。その後、運転が開始され（ＳＴ４）、被検査物２の異物検査が実行される。更に説明すると、画像処理部１５ｃは、制御手段１３からの被検査物２の画像データを１／２のデータサイズにする。被検査物２の画像データを１／２のデータサイズにする場合には、例えば１ライン毎にデータが間引かれて圧縮される。１／２のデータサイズによる画像データは、画像記憶部１５ｅに対して表示アドレス生成部１５ｂで生成されたアドレスに記憶される。また、表示制御部１５ａは、上記被検査物２の画像データのデータサイズの伸縮率を示す伸縮率データを作成し、この作成された伸縮率データが情報表示データ記憶部１５ｄに対して表示アドレス生成部１５ｂで生成されたアドレスに記憶される。そして、上記画像データと伸縮率データを表示器６の表示エリア６ａに展開表示する。これにより、図５（ｂ）に示すように、表示器６の表示エリア６ａ内の中央には、ベルトスピードが標準のときに比べて被検査物２の搬送方向の幅が１／２に圧縮された状態で被検査物２の画像Ａが表示される。また同時に、被検査物２の画像Ａの伸縮率を表す伸縮率データとして、例えば「１：２」の数値表示が表示エリア６ａの右下部分になされる。
【００３９】
ベルトコンベア３のベルトスピードを標準の１／２にした場合には（ＳＴ２：１／２）、画像データ記憶部１５ｅのデータサイズ（ライン数）を２倍にして同じデータを重ね表示するように表示器６にデータを送るように処理される（ＳＴ６）。その後、運転が開始され（ＳＴ４）、被検査物２の異物検査が実行される。更に説明すると、画像処理部１５ｃは、制御手段１３からの被検査物２の画像データを２倍のデータサイズにする。被検査物２の画像データを２倍のデータサイズにする場合には、例えば１ラインのデータを２回重ねて伸長される。２倍のデータサイズによる画像データは、画像記憶部１５ｅに対して表示アドレス生成部１５ｂで生成されたアドレスに記憶される。また、表示制御部１５ａは、上記被検査物２の画像データのデータサイズの伸縮率を示す伸縮率データを作成し、この作成された伸縮率データが情報表示データ記憶部１５ｄに対して表示アドレス生成部１５ｂで生成されたアドレスに記憶される。そして、上記画像データと伸縮率データを表示器６の表示エリア６ａに展開表示する。これにより、図５（ｃ）に示すように、表示器６の表示エリア６ａ内の中央には、ベルトスピードが標準のときに比べて被検査物２の搬送方向の幅が２倍に伸長された状態で被検査物２の画像Ａが表示される。また同時に、画像Ａの伸縮率を表す伸縮率データとして、例えば「１：０．５」の数値表示が表示エリア６ａの右下部分になされる。
【００４０】
ところで、上述した表示処理において、表示器６の表示エリア６ａ内に表示される被検査物２の画像Ａは、通常固定表示モードに設定されているが、設定入力部５の画面切替キー（不図示）が操作されたときは、固定表示モードからスクロール表示モードに変更され、被検査物２の画像Ａが被検査物２の動きに合わせてスクロール表示される。
【００４１】
また、上記表示処理において、被検査物２の画像Ａとともに表示器６の表示エリア６ａ内に表示される伸縮率データは、図５に示すような数値表示に限らず、例えば倍率を表示してもよい。
【００４２】
このように、本例のＸ線異物検出装置１では、被検査物２を搬送する搬送部（ベルトコンベア）３の搬送速度（ベルトスピード）に応じて表示器６に表示されるＸ線曝射時の内部状態を示す被検査物の画像Ａにおける被検査物２の搬送方向に対する伸縮率を可変している。これにより、搬送速度が速い場合には被検査物２の搬送方向に対して画像Ａが圧縮されて縮まった状態で表示され、搬送速度が遅い場合には被検査物２の搬送方向に対して画像Ａが伸長されて間延びした状態で表示される。
【００４３】
したがって、搬送速度が速い場合には、従来に比べて、被検査物２の画像Ａを表示器６の表示エリア６ａ内に長く止めることができるので、画像が見やすくなり、被検査物２に異物が混入されている場合でもその位置を確認することができる。これに対し、搬送速度が遅い場合では、被検査物２の画像Ａが被検査物２の搬送方向に対して間延びし、拡大されたイメージで表示されるので、さらに画像が見やすく、画像が表示エリア６ａ内に止まっている時間も長くなり、より確実に被検査物２中の異物混入の有無を確認することができる。
【００４４】
また、表示器６の表示エリア６ａ内には、被検査物２の画像Ａとともに、画像Ａの伸縮率が表示されるので、現在の表示状態として、表示エリア６ａ内に表示されている被検査物２の画像Ａが伸縮されて加工処理されたものか否かをユーザーに認識させることができる。
【００４５】
【発明の効果】
以上の説明で明らかなように、本発明によれば、被検査物を搬送する搬送部の搬送速度が速いときに被検査物の搬送方向に対して被検査物の画像を間引いて圧縮した画像データを透過画像として表示エリア内に表示し、搬送速度が遅いときには被検査物の搬送方向に対して被検査物の画像を重ねて伸長した画像データを透過画像として表示エリア内に表示するので、搬送速度が速い場合には、従来に比べて、被検査物の画像を表示器の表示エリア内に長く止めることができ、画像が見やすくなり、被検査物に異物が混入されている場合でもその位置を確認することができる。これに対し、搬送速度が遅い場合では、被検査物の画像が被検査物の搬送方向に対して間延びし、拡大されたイメージで表示されるので、さらに画像が見やすく、画像が表示エリア内に止まっている時間も長くなり、より確実に被検査物中の異物混入の有無を確認することができる。
【００４６】
また、表示器の表示エリア内には、被検査物の画像とともに、画像の伸縮率が表示されるので、現在の表示状態として、表示エリア内に表示されている被検査物の画像が伸縮されて加工処理されたものか否かをユーザーに認識させることができる。
【図面の簡単な説明】
【図１】本発明によるＸ線異物検出装置の全体構成を示すブロック図
【図２】本発明によるＸ線異物検出装置の外観を示す斜視図
【図３】本発明によるＸ線異物検出装置の表示制御手段の内部構成を示すブロック図
【図４】本発明によるＸ線異物検出装置においてベルトコンベアのベルトスピードを可変したときの表示器の表示処理の概略を示すフローチャート
【図５】（ａ），（ｂ），（ｃ）本発明によるＸ線異物検出装置においてベルトコンベアのベルトスピードに応じた表示器の表示状態を模式的に示す図
【符号の説明】
１…Ｘ線異物検出装置、２…被検査物、３…搬送部、６…表示器、６ａ…表示エリア、１５…表示制御手段。
【図１】
0004460140.tif 000002
【図２】
0004460140.tif 000003
【図３】
0004460140.tif 000004
【図４】
0004460140.tif 000005
【図５】
0004460140.tif 000006